(57)【要約】【課題】簡単な構造で組み立てやすく、組み立て時に多少の作業ばらつきがあっても係止片が差込口にしっかり係合する開封防止機能付き包装箱を提供する。【解決手段】箱体形成片１２は、互いに平行に連接された側面板１４，１６，１８，２０を備える。第一の側面板１４の端部に蓋片３４が延設され、その先端部に第一の折罫線４０を介して差込片３８が延設される。第一の折罫線４０の一部に切り込み線により設けられた差込口４２を備え、切り込み線の途中部分を蓋片３４の方向に膨出した形状にすることによって前記差込口に形成された突出部４２ａが形成される。第二の側面板１８の端部に、差込口４２に係合可能な係止片５６が第二の折罫線５８を介して延設され、第二の折罫線５８の一部に、突出部４２ａが係合可能なスリット６０を備える。第二の側面板１８の端部に、係止片５６及び特定部分１８ａを切離可能にする開封用破断線６２を備える。【選択図】図１
0003216447.tif 000002
【実用新案登録請求の範囲】
【請求項１】
一枚の箱体形成片から成り、前記箱体形成片には、互いに平行に連接された複数の側面板と、前記複数の側面板の中の１つである第一の側面板の、前記連接方向に対して直角方向の端部に延設された蓋片と、前記蓋片の先端部に延設され、第一の折罫線で前記蓋片と区切られた差込片と、前記第一の折罫線の一部に切り込み線により設けられた差込口と、前記切り込み線の途中部分を前記蓋片の方向に膨出した形状にすることによって前記差込口に形成された突出部と、前記複数の側面板の中の１つである第二の側面板の、前記蓋片側の端部に延設され、第二の折罫線で前記第二の側面板と区切られた係止片と、前記第二の折罫線の一部に設けられたスリットと、前記第二の側面板の端部の、前記係止片に連続する特定部分を囲み、前記係止片及び前記特定部分を前記第二の側面板から切離可能にする開封用破断線とが設けられ、
組み立て状態で、前記複数の側面板で筒体を形成し、前記第一及び第二の側面板が互いに対向し、前記蓋片が前記筒体の開口部を閉鎖し、前記差込片が前記第一の折罫線で折り曲げられて前記第二の側面板の裏面側に係止され、前記係止片が前記第二の折罫線で折り曲げられて前記差込口に入って係合し、前記突出部が前記スリットに入って係合することを特徴とする開封防止機能付き包装箱。
【請求項２】
前記第二の側面の前記特定部分には、前記第二の折罫線と、前記係止片の基端部の両側から連続して前記第二の側面板の中央側へ伸びる一対の切り込みと、前記一対の切り込みの先端部同士を連結する引起用折罫線とで囲まれた引起部が設けられ、
前記開封用破断線は、前記引起用折罫線と重ならないように設けられ、前記係止片及び前記引起部を含む前記特定部分を第二の側面板から切離可能にする請求項１記載の開封防止機能付き包装箱。
【請求項３】
前記開封用破断線の一部に、前記第二の側面板の特定部分に指を掛けるための開封用透孔が設けられている請求項１又は２記載の開封防止機能付き包装箱。
【考案の詳細な説明】
【技術分野】
【０００１】
本考案は、蓋部を封止する係止片が設けられた開封防止機能付き包装箱に関する。
【背景技術】
【０００２】
従来、例えば特許文献１に開示されているように、筒体の一方の端部を閉鎖する蓋片を不正に開封できないようにするため、蓋片に係止片を係合させて封止する未開封カートンがあった。この未開封カートンは、筒体の中の一側面である後面板の端部に蓋片が延設され、蓋片の先端部に、前面板の内側に差し込まれる差し込み片が延設され、蓋片の差し込み片寄りの位置にコの字状の差込口（挿入孔）が形成されている。後面板に対向する前面板の端部には、筒体の端部を閉鎖する蓋片の差込口に係入される係止片（舌状フック片）が延設されている。そして、前面板には、係止片の付け根から前面板の中央方向に延びる一対の切り込み（２本の切れ線）が形成され、前面板の端部から、一対の切り込みに挟まれた領域とその周縁部を囲むようにＵ字状の開封用破断線（ミシン目線）が形成され、凸状の開封部が設けられている。
【０００３】
一対の切り込みは、係止片を差込口に係入する時、一度外側に引き出して差し込みやすくするために設けられ、開封用破断線は、正規に開封する時、開封部及び係止片を前面板から切離させて蓋片の封止を解除するために設けられている。
【先行技術文献】
【特許文献】
【０００４】
【特許文献１】特開２０１２−１８８１３５号公報
【考案の概要】
【考案が解決しようとする課題】
【０００５】
十分な開封防止効果を得るためには、係止片が差込口から簡単に引き抜かれないように、係止片が差込口にしっかり係合していることが重要になる。
【０００６】
特許文献１の未開封カートンの場合、係止片と差込口の係合の強さは、差込口（挿入孔）のコの字形状と係止片（舌状フック片）の輪郭形状との微妙な関係によって決定される。しかしながら、組立作業者が係止片を差込口に差し込む時、係止片と差込口が互いに擦れたりぶつかったりするので、係止片や差込口の形状が微妙に変形して係合の強さが低下してしまう可能性がある。したがって、組み立て時に多少の作業ばらつきがあっても係止片と差込口の係合の強さが十分に確保されるように改善することが求められていた。
【０００７】
本考案は、上記背景技術に鑑みて成されたものであり、簡単な構造で組み立てやすく、組み立て時に多少の作業ばらつきがあっても係止片が差込口にしっかり係合する開封防止機能付き包装箱を提供することを目的とする。
【課題を解決するための手段】
【０００８】
本考案は、一枚の箱体形成片から成り、前記箱体形成片には、互いに平行に連接された複数の側面板と、前記複数の側面板の中の１つである第一の側面板の、前記連接方向に対して直角方向の端部に延設された蓋片と、前記蓋片の先端部に延設され、第一の折罫線で前記蓋片と区切られた差込片と、前記第一の折罫線の一部に切り込み線により設けられた差込口と、前記切り込み線の途中部分を前記蓋片の方向に膨出した形状にすることによって前記差込口に形成された突出部と、前記複数の側面板の中の１つである第二の側面板の、前記蓋片側の端部に延設され、第二の折罫線で前記第二の側面板と区切られた係止片と、前記第二の折罫線の一部に設けられたスリットと、前記第二の側面板の端部の、前記係止片に連続する特定部分を囲み、前記係止片及び前記特定部分を前記第二の側面板から切離可能にする開封用破断線とが設けられ、
組み立て状態で、前記複数の側面板で筒体を形成し、前記第一及び第二の側面板が互いに対向し、前記蓋片が前記筒体の開口部を閉鎖し、前記差込片が前記第一の折罫線で折り曲げられて前記第二の側面板の裏面側に係止され、前記係止片が前記第二の折罫線で折り曲げられて前記差込口に入って係合し、前記突出部が前記スリットに入って係合する開封防止機能付き包装箱である。
【０００９】
前記第二の側面の前記特定部分には、前記第二の折罫線と、前記係止片の基端部の両側から連続して前記第二の側面板の中央側へ伸びる一対の切り込みと、前記一対の切り込みの先端部同士を連結する引起用折罫線とで囲まれた引起部が設けられ、前記開封用破断線は、前記引起用折罫線と重ならないように設けられ、前記係止片及び前記引起部を含む前記特定部分を第二の側面板から切離可能にする構成にすることが好ましい。また、前記開封用破断線の一部に、前記第二の側面板の特定部分に指を掛けるやすくするための開封用透孔が設けられていることが好ましい。
【考案の効果】
【００１０】
本考案の開封防止機能付き包装箱は、構造が簡単で、従来と同様の手順で容易に組み立てることができる。組み立て状態では、係止片と差込口が２重に係合し、従来よりも係止片を引き抜くのが難しい構造になる。したがって、組み立て時に多少の作業ばらつきがあっても係止片と差込口の係合の強さが十分に確保され、改ざん等の不正開封や不用意な開封を確実に防止することができる。
【図面の簡単な説明】
【００１１】
【図１】本考案の開封防止機能付き包装箱の一実施形態を形成する箱体形成片を裏面側から見た展開図である。
【図２】図１の箱体形成片の組み立て工程を示す図（ａ）、（ｂ）、（ｃ）である。
【図３】図１の箱体形成片の組み立て工程を示す斜視図（ａ）、（ｂ）である。
【図４】図１の箱体形成片の組み立て工程を示す断面図（ａ）、（ｂ）である。
【図５】図１の箱体形成片の組み立て工程を示す断面図（ａ）、（ｂ）である。
【図６】この実施形態の開封防止機能付き包装箱の組み立て状態を示す斜視図である。
【図７】この実施形態の開封防止機能付き包装箱を開封する操作を示す断面図（ａ）、開封した状態を示す斜視図（ｂ）である。
【考案を実施するための形態】
【００１２】
以下、本考案の緩衝機能付き包装箱の一実施形態について、図面に基づいて説明する。この実施形態の開封防止機能付き包装箱１０は、図６に示すように、組み立て状態で略正方形の箱体であり、厚紙等で成る一枚の箱体形成片１２を組み立てることによって形成される。
【００１３】
図１は、箱体形成片１２を裏面側から見た図であり、箱体形成片１２は、互いに平行に連接された４つの側面板１４，１６，１８，２０を有し、各々折罫線２２，２４，２６で区切られている。側面板１４，１６，１８，２０は、ほぼ同じ大きさの長方形であり、連接方向と直角な幅方向の長さが短くて互いにほぼ等しく、連接方向の長さが長くて互いにほぼ等しい。
【００１４】
第一の側面板１４の連接方向の端部には、糊付片２８が延設され、折罫線３０で第一の側面板１４と区切られている。糊付片２８は、４つの側面板１４，１６，１８，２０で筒体３２を形成するため、側面板２０の端部の裏面に糊付けされる部分である。４つの側面板１４，１６，１８，２０は、筒体３２になった時、図１における上側の端部が蓋側、下側の端部が底側になる。以下、側面板１４を第一の側面板１４、側面板１８を第二の側面板１８と称する。
【００１５】
第一の側面板１４の蓋側の端部には略正方形の蓋片３４が延設され、折罫線３６で第一の側面板１４と区切られている。蓋片３４の先端部には差込片３８が延設され、第一の折罫線４０で蓋片３４と区切られている。第一の折罫線４０の中央部と重なる位置には、コの字状の切り込み線で成る差込口４２が設けられ、この切り込み線の途中部分を蓋片３４の方向に膨出した形状にすることによって、差込口４２に突出部４２ａが設けられている。
【００１６】
第一の側面板１４の底側の端部には、略長方形の底片４４が延設され、折罫線４６で第一の側面板１４と区切られている。底片４４は、いわゆるワンタッチ型の底面９２の一部になる部分であり、折罫線４６からの延設長さは、側面板１６の連接方向長さの約3/5である。底片４４の内側には、折罫線２２の端部から約４５度の角度で伸びる折罫線４８が設けられ、底片４４を略三角形の糊付部４４ａと底面部４４ｂとに区切っている。
【００１７】
側面板１６の蓋側の端部には、略矩形のサイドフラップ５０が延設され、折罫線５２で側面板１６と区切られている。側面板１６の底側の端部には、先端部が幅狭になった台形状の底片５４が延設され、折罫線５６で側面板１６と区切られている。底片５４は、いわゆるワンタッチ型の底面９２の一部になる部分であり、折罫線５６からの延設長さは、第一の側面板１４の連接方向長さの約1/2である。
【００１８】
第二の側面板１８の蓋側の端部の中央には、係止片５６が延設され、第二の折罫線５８で第二の側面板１２と区切られている。係止片５６は、基端部の両側が所定の幅に広がって突出し、先端の両角部が丸く面取りされている。また、第二の折罫線５８の中央部に重なるように、長穴状のスリット６０が設けられている。
【００１９】
第二の側面板１８内の蓋側の端部には、係止片５６に連続する特定部分１８ａを囲み、係止片５６及び特定部分１８ａを第二の側面板１８から切離可能にする開封用破断線６２がＵ字状に設けられている。そして、特定部分１８ａには、開封用破断線６２の両端部と重なる位置に、係止片５６の基端部の両側から連続して第二の側面板１８の中央側へ伸びる一対の切り込み６４が設けられ、一対の切り込み６０の先端部同士を直線状に連結する引起用折罫線６６が設けられ、第二の折罫線５８、一対の切り込み６４及び引起用折罫線６６に囲まれた内側が引起部６８となる。また、開封用破断線６２の中央部に、特定部分１８ａに指を掛けやすくするための開封用透孔７０が設けられている。
【００２０】
第二の側面板１８の底側の端部には、略長方形の底片７２が延設され、折罫線７４で第二の側面板１８と区切られている。底片７２は、いわゆるワンタッチ型の底面９２の一部になる部分であり、折罫線７４からの延設長さは、側面板１６の連接方向長さの約3/5である。底片７２の内側には、折罫線２６の端部から約４５度の角度で伸びる折罫線７６が設けられ、底片７２を略三角形の糊付部７２ａと底面部７２ｂとに区切っている。
【００２１】
側面板２０の蓋側の端部には、略矩形のサイドフラップ７８が延設され、折罫線８０で側面板２０と区切られている。側面板２０の底側の端部には、先端部が幅狭になった台形状の底片８２が延設され、折罫線８４で側面板２０と区切られている。底片８２は、いわゆるワンタッチ型の底面９２の一部になる部分であり、折罫線８４からの延設長さは、第一の側面板１４の連接方向長さの約1/2である。
【００２２】
次に、開封防止機能付き包装箱１０の組み立て方法の一例を説明する。なお、図１は箱体形成片１２を裏面側から見たものであり、以下、箱体形成片１２の表面が凸になる折り方を正折り、そして裏面が凸になる折り方を逆折りと称して説明する。
【００２３】
まず、図２（ａ）に示すように、折罫線４６を正折りして底片４４を第一の側面板１４の裏面に重ね、折罫線５６を正折りして底片５４を側面板１６の裏面に重ね、折罫線７４を正折りして底片７２を第二の側面板１８の裏面に重ね、折罫線８４を正折りして底片８２を側面板２０の裏面に重ねる。さらに、折罫線４８を逆折りして糊付部４４ａを底面部４４ｂに重ね、折罫線７６を逆折りして糊付部７２ａを底面部７２ｂに重ね、糊付部４４ａの裏面に糊８６を塗布する。そして、図２（ｂ）に示すように、折罫線２２を正折りして底片４４を底片５４に重ね、糊付部４４ａの裏面を底片５４の表面に糊付けする。
【００２４】
その後、糊付部７２ａの裏面に糊８８を塗布し、糊付片２８の表面に糊９０を塗布し、図２（ｃ）に示すように、折罫線２６を正折りして底片８２を底片７２に重ね、糊付部７２ａの裏面を底片８２の表面に糊付けするとともに、糊付片２８の表面を側面板２０の裏面に糊付けする。箱体形成片１２は、この折り畳まれた状態で出荷される。
【００２５】
次に、商品等を包装する工場等において立体的に組み立てる。まず、折罫線２２，２４，２６，３０を各々９０度に正折りする。この操作によって、４つの側面板１４，１６，１８，２０が四角形の筒体３２になり、第一の側面板１４と第二の側面板１８が互いに対向する。また、糊付部４４ａと底片５４とが糊付けされ、糊付部７２ａと底片８２とが糊付けされているので、この操作によって、逆折されている折罫線４８，７６が自動的に開き、折罫線４６，５６，７４，８４が自動的に９０度に正折りされ、４つの底片４４，５４，７２，８２が倒れて重なり合い、ワンタッチ型の底面９２が形成される。これで、図３（ａ）に示す状態になる。
【００２６】
その後、蓋側の開口部から商品等を入れ、折罫線５２，８０でサイドフラップ５０，７８を９０度に正折りし、折罫線３６で蓋片３４を９０度に正折りする。そして、折罫線４０で差し込み片３８を９０度に正折りし、差し込み片３８を第二の側面板１８の内側に差し込んで開口部を閉鎖すると、図３（ｂ）に示す状態になる。この状態では、係止片５６が蓋片３４を超えて上向きに突出しており、図４（ａ）に示すように、第二の折罫線５８及びスリット６０が、差込片３８の差込口４２の近傍に位置している。また、差込口４２の突出部４２ａが上向きに起立し、差込口４０の中央部を塞ぐように突出している。
【００２７】
次は、係止片５６を差込口４２に差し込んで蓋片３４を封止する操作を行う。まず、図４（ｂ）に示すように、引起用折罫線６６を逆折りして、一対の切り込み６４に挟まれた引起部６８を外側に倒し、第二の折罫線５８を正折りすることによって、係止片５６の先端部を差込口４２の方向に案内する。そして、図５（ａ）に示すように、係止片５６を差込口４２の中に差し入れ、奥まで差し込むと図５（ｂ）の状態になる。
【００２８】
図５（ｂ）の状態で、係止片５６の基端部両側の幅広になった部分が差込口４２の両端部に係合し、さらに、差込口４２の突出部４２ａがスリット６０内に入って係合する。つまり、係止片５６と差込口４２が２重に係合する形となり、従来よりも係止片５６を引き抜くのが難しくなる。また、不正に開封するため係止片５６を無理に引き抜くと、係合している部分やその周囲が変形したり破損したりして痕跡が残るので、確実な開封防止効果が得られる。これで包装作業が終了して図６に示す組み立て状態になり、商品等が出荷される。
【００２９】
開封防止機能付き包装箱１０を正規に開封する時は、第二の側面板１８の開封用透孔７０から特定部分１８ａに指を掛け、図７（ａ）に示すように特定部分１８ａを引き上げて開封用破断線６２を破断させる。これで、係止片５６及び特定部分１８ａ（引起部６８を含む）が第二の側面板１８から分離し、蓋片３４の封止が解除される。そして、蓋片３４及び差込片３８を引き上げ、サイドフラップ５０，７８を引き上げると、図７（ｂ）に示すように、箱体の蓋側が開放し、中の商品等を取り出すことができる。第二の側面板１８から分離した係止片５６及び特定部分１８ａ（引起部６８を含む）は、差込口４２に係合したまま保持される。なお、開封時に、特定部分１８ａを押圧して開封用破断線６２を破断させ、開封しても良く、開封用破断線６２はミシン線状に形成されていても良い。
【００３０】
以上説明したように、開封防止機能付き包装箱１０は、構造が簡単で、従来と同様の手順で容易に組み立てることができる。そして、組み立て状態で、係止片５６と差込口４２が２重に係合し、従来よりも係止片５６を引き抜くのが難しい構造になる。したがって、組み立て時に多少の作業ばらつきがあっても係止片５６と差込口４２の係合の強さが十分に確保され、改ざん等の不正開封を確実に防止することができる。
【００３１】
なお、本考案の開封防止機能付き包装箱は、上記実施形態に限定されるものではない。例えば、切り込み線で成る差込口の両端部の形状と係止片の輪郭形状は、互いに係合可能な範囲で自由に変更することができる。同様に、差込口の突出部の形状と係止片のスリットの形状も、互いに係合可能な範囲で自由に変更することができる。
【００３２】
第二の側面板の一対の切り込み、引起用折罫線及び開封用透孔は、係止片を差込口に差し込む操作を容易にするための構成であり、個々の形状は適宜変更することができる。また、係止片を差込口に差し込む操作に支障がなければ、これらの構成は選択的に省略してもよい。
【００３３】
その他、筒体を形成する側面板の数や大きさや形状、糊付片や底面の構造等は自由に変更することができる。また、箱体形成片の材質や厚みについても特に限定されない。
【符号の説明】
【００３４】
１０  開封防止機能付き包装箱
１２  箱体形成片
１４  第一の側面板
１６，２０  側面板
１８  第二の側面板
１８ａ  特定部分
３２  筒体
３４  蓋片
３８  差込片
４０  第一の折罫線
４２  差込口
４２ａ  突出部
５６  係止片
５８  第二の折罫線
６０  スリット
６２  開封用破断線
６４  切り込み
６６  引起用折罫線
６８  引起部
７０  開封用透孔
【図１】
0003216447.tif 000003
【図２】
0003216447.tif 000004
【図３】
0003216447.tif 000005
【図４】
0003216447.tif 000006
【図５】
0003216447.tif 000007
【図６】
0003216447.tif 000008
【図７】
0003216447.tif 000009